(57)【要約】【課題】収納ネット内で洗濯物がねじれることなく使用することができる洗濯用具を提供する。【解決手段】開口部に開閉部材を有する立体形状の収納ネットと、該収納ネット内に一端部を固定されるとともに、ズボンやシャツ等の洗濯物を挟み込むように設けられた一対あるいは折り返し構成よりなるネット状のシート体とより構成されたことを特徴とする。【選択図】　図１
2004141605.tif 000002
【特許請求の範囲】
【請求項１】
開口部に開閉部材を有する立体形状の収納ネットと、該収納ネット内に一端部を固定されるとともに、ズボンやシャツ等の洗濯物を挟み込むように設けられた一対あるいは折り返し構成よりなるネット状のシート体とよりなり、前記シート体は丸めた状態で前記収納ネットに収納されるものであることを特徴とする洗濯用具。
【請求項２】
シート体に挟持されたシャツの襟を露出させるための襟出し孔を設けたことを特徴とする請求項１記載の洗濯用具。
【請求項３】
シート体が着脱可能に収納部に固定されたものであることを特徴とする請求項１又は２記載の洗濯用具。
【請求項４】
シート体はアイロン使用に耐えられるものであることを特徴とする請求項３記載の洗濯用具。
【請求項５】
シート体が吊り下げ固定機構を有するものであることを特徴とする請求項３又は４記載の洗濯用具。
【発明の詳細な説明】
【０００１】
【発明の属する技術分野】
本発明は、収納ネット内で洗濯物がねじれることなく使用することができる洗濯用具に関する。
【０００２】
【従来の技術】
従来、洗濯物の保型性を保つために、球状や円柱状に形成された立体形状の洗濯収納ネットがあった。
また、シャツやズボン等の折り目を有する洗濯物の保型性を保つために、シート体で挟みこむ洗濯補助具があった。また、この洗濯補助具に関しては、ベルトなどで丸めた状態にしたうえで洗濯するものがあった。
【特許文献１】
特許３００７８２６号
【特許文献２】
特許３０９９９５０号
【０００３】
【発明が解決しようとする課題】
これには次のような欠点があった。
立体形状の洗濯収納ネットにおいては、洗濯時における洗濯物の摩擦や浮遊した糸くずなどの付着は防いでいたが、折り目を有する洗濯物に関しては、その折り目を保護することができなかった。
シート体で挟み込む洗濯ネットにあっては、そのシート体が洗濯機の中でねじれ、洗濯物を傷めることがあった。
また、シート体をベルトで丸める洗濯補助具にあっては、ベルトで強力に締めつけられるために、その部分への洗浄効果が低下するという欠点があった。
折り目を有する洗濯ものと、その他の洗濯物に対して、一つの洗濯補助具で使い分けられるものがなかった。
本発明は、以上の欠点を解決するためのものである。
【０００４】
【課題を解決するための手段】
開口部に開閉部材を有する立体形状の収納ネットと、該収納ネット内に一端部を固定されるとともに、ズボンやシャツ等の洗濯物を挟み込むように設けられた一対あるいは折り返し構成よりなるネット状のシート体とより構成される。
【０００５】
【発明の実施の形態】
以下、本発明の第一の実施の形態について図１〜図５をもちいて説明する。
図１〜図３は本発明の使用状態の手順を示す斜視図である。図４は、本発明の要部端面図である。図５は、本発明の洗濯時の斜視図である。
図において、収納ネット１は円柱形状をなしている。収納ネット１は開口部２を有し、ファスナー３により開閉できるようになっている。
ネット状のシート体４はシート体４ａとシート体４ｂが折り返し部により折り返して使用できるものである。折りたたんだ状態でズボンを挟み込むことができる長方形状となるようになっている。
このシート体４は、図４に示すように、端部が縫合部５により収納ネット１と連結されている。
本発明は以上のような構成よりなっている。
本発明の使用方法について、以下説明する。
本発明を使用するときは、図１に示すように収納ネット１の開口部２を開き、シート体４を開口部２より取り出す。シート体４ａを開き、ズボン１１等の洗濯物をシート体４ｂのうえにズボンの折り目があうように置く。
次に、図２に示すように折り返し部６に沿ってシート体４ａをズボン１１を挟むように折り曲げ、ズボン１１をシート体４で挟み込む。
次に図３に示すようにシート体４を開放端部側から丸め込んでいき、収納ネット１の開口部２からシート体４を収納ネット１内に収める。この際、ズボンの折り目をその状態を維持する。収納した状態で開口部２のファスナー３を閉め、図５に示すような状態となる。
この状態で、洗濯機の中にいれ洗濯をおこなう。洗濯時においては、収納ネット内の余裕空間内でシート体４が動き、洗濯物が水流や洗剤の影響により洗濯される。但し、洗濯物はシート体４により挟み込まれるとともに、収納ネットの形状によりシート体４の丸め方向への動きはあるが、左右への動きが制御されるため、折り目の保型性を保持することが可能となっている。
洗濯後は、逆の手順によりシート体４を収納ネット１から取り出したうえで洗濯物を取り出し干す。
尚、乾燥機を使用する場合においては、収納ネット１及びシート体４がその耐熱性を有したものにすることにより、洗濯物を乾燥機内に入れることで、保型性を維持した状態で乾燥させることが可能となった。
以上の事例において、シート体４は側辺を折り返し部とした構造になっているが、シート体４ａの収納ネット１側の辺をシート体４ｂに縫合することも考えられる。この場合、シート体間の挟持力が向上するという効果を得ることができる。
【０００６】
以下、本発明の第二の実施の形態について図６〜図８をもちいて説明する。
本発明の実施の形態においては、シート体４が上シート体４ａと下シート体４ｂとにより構成されている。上シート体４ａと下シート体４ｂは、収納ネット側端部で収納ネット１に縫合されるとともに、上シート体４ａには、任意の襟付きシャツの襟８を露出させるための襟出し孔７が設けられている。
本発明は以上のような構成よりなっている。
本発明の使用方法について、以下説明する。
本発明を使用するときは、図６に示すようにシート体４を取り出した状態で上シート体４ａを上げ、下シート体４ｂの上にシャツ９を置く。
次に、上シート体４ａを下ろし、シャツ９の襟８を襟出し孔７から露出させるように配置する。そして、図８、図９に示すようにはみ出たシャツ部を上シート体４ａの側片に沿って折り曲げた上で、前記第一の実施の形態と同様に使用する。この際、襟８は上シート体４ａと下シート体４ｂに直接挟まれることがなく、かつ収納ネット１内の余裕空間内でシート体４が広がる為、襟８の保型性を得ることができる。
【０００７】
以下、本発明の第三の実施の形態について図１０〜図１２をもちいて説明する。
図１０は本発明の分解斜視図である。図１１、図１２は本発明の使用状態図である。
本発明の実施の形態は、図１０に示すように、収納ネット１とシート体４が着脱できるようになっている。シート体４は上シート体４ａと下シート体４ｂが折り返して使用できるように構成されている。
上シート体４ａは、下シート体４ｂより短くなっており、スナップの雄雌１０ａ、１０ｂにより着脱できるようになっている。
下シート体４ｂの延長部の先端裏側には雌スナップ１０ｂが設けられており。収納ネット１内に取り付けられた雄スナップ１０ａと着脱できるようになっている。また、延長部の表面には雄スナップ１０ａが設けられており、延長部先端を折り返した状態で、雌スナップ１０ｂと着脱できるようになっている。
また、シート体４は耐熱素材よりなっており、アイロン１３使用に耐えられるものである。
本発明は以上の構成よりなる。
本発明の使用方法について、以下説明する。
本発明の実施の形態においては、シート体４と収納ネット１をスナップ１０で取り付けられるようになっている。
また、上シート体４ａと下シート体４ｂもスナップ１０により着脱でき、これを利用して上下シート体をスナップ位置で固定することができる。これにより、洗濯時、洗濯物をより安定的に取り扱うことが可能となっている。
シート体４は耐熱性があるため、収納ネット１からはずした状態でアイロン台１２にのせ、アイロン１３を利用してアイロンがかけられるようになっている。また、シート体４ｂの延長部にあるスナップ１０を利用することで、図１２に示すように洗濯後、物干し竿１４に掛けることが可能となっている。この際は、延長部を物干し竿１４に巻きつけ、延長部先端と雌スナップ１０ｂと、延長部にある雄スナップを結合させて物干し竿１４に取り付け吊るして乾燥させる。
この際、上下シート体４も雄雌スナップ１０で固定されているため、洗濯物を挟んだ上体でシート体４に押さえ込むようになっている。
以上、本発明の各種実施の形態を述べたが、本発明はこれに限定されるものではない。例えば、各種着脱手段及びその位置に関しては、その利用目的を達成するものであればよく、その他にも本発明の目的を達成されるものであれば、各種公知技術を利用することが可能である。
【０００８】
【発明の効果】
本発明において、シート体でズボンやシャツ等の洗濯物を挟持した状態で収納ネットに収納して洗うので、洗濯ものに皺がよったり、型崩れするのを防ぐことができる。
シート体に襟出し孔を設けたことにより、襟が潰れるのを防ぐことができる。シート体が着脱可能に収納部に固定されることにより、シート体をはずした状態で使用することができる。これにより、洗濯物にあわせて使い分けることが可能となった。
シート体がアイロン使用に耐えられるものであることにより、洗濯後その状態のままアイロン掛けをすることができる。
シート体が吊り下げ固定機構を有するものであることにより、洗濯後その状態のまま物干しに干すことができる。
【図面の簡単な説明】
【図１】本発明の使用状態を示す斜視図
【図２】本発明の使用状態を示す斜視図
【図３】本発明の使用状態を示す斜視図
【図４】本発明の部分断面図
【図５】本発明の斜視図
【図６】本発明の使用状態を示す斜視図
【図７】本発明の使用状態を示す斜視図
【図８】本発明の使用状態を示す斜視図
【図９】本発明の使用状態を示す斜視図
【図１０】本発明の使用状態を示す分解斜視図
【図１１】本発明の他の使用状態を示す図
【図１２】本発明の他の使用状態を示す図
【符号の説明】
１　収納ネット
２　開口部
３　ファスナー
４；４ａ；４ｂ　シート体
５　縫合部
６　折り返し部
７　襟出し孔
８　襟
９　シャツ
１０；１０ａ；１０ｂ　スナップ
１１　ズボン
１２　アイロン台
１３　アイロン
１４　物干し竿
【図１】
2004141605.tif 000003
【図２】
2004141605.tif 000004
【図３】
2004141605.tif 000005
【図４】
2004141605.tif 000006
【図５】
2004141605.tif 000007
【図６】
2004141605.tif 000008
【図７】
2004141605.tif 000009
【図８】
2004141605.tif 000010
【図９】
2004141605.tif 000011
【図１０】
2004141605.tif 000012
【図１１】
2004141605.tif 000013
【図１２】
2004141605.tif 000014